【手続補正書】
【提出日】平成15年10月9日(2003.10.9)
【手続補正１】
【補正対象書類名】明細書
【補正対象項目名】発明の名称
【補正方法】変更
【補正の内容】
【発明の名称】光伝送システム及び光伝送装置
【手続補正２】
【補正対象書類名】明細書
【補正対象項目名】特許請求の範囲
【補正方法】変更
【補正の内容】
【特許請求の範囲】
【請求項１】
電気信号を光信号に変換して伝送する光伝送システムであって、
電気信号を光信号に変換する電気光変換手段と、
前記電気光変換手段が変換して得られた光信号を２以上に分岐する光分岐手段と、
前記光分岐手段が分岐して得られた光信号をそれぞれ伝送するための２以上の光伝送路と、
前記２以上の光伝送路を介して伝送された光信号をそれぞれ電気信号に変換する２以上の光電気変換手段と、
前記２以上の光電気変換手段がそれぞれ変換して得られた電気信号を振幅加算する加算手段とを備える光伝送システム。
【請求項２】
前記光分岐手段が分岐して得られる光信号は、それぞれの平均の光パワーが等しいことを特徴とする、請求項１に記載の光伝送システム。
【請求項３】
電気信号を光信号に変換して伝送する光伝送システムであって、
電気信号を光信号に変換する電気光変換手段と、
前記電気光変換手段が変換して得られた光信号を２以上に分岐する光分岐手段と、
前記光分岐手段が分岐して得られた光信号をそれぞれ伝送するための２以上の光伝送路と、
前記２以上の光伝送路を介して伝送された光信号を合波する光合波手段と、
前記光合波手段が合波して得られた光信号を電気信号に変換する光電気変換手段とを備える光伝送システム。
【請求項４】
前記光分岐手段が分岐して得られる光信号は、それぞれの平均の光パワーが等しいことを特徴とする、請求項３に記載の光伝送システム。
【請求項５】
電気信号を光信号に変換して伝送する光伝送システムであって、
電気信号を２以上に分岐する分岐手段と、
前記分岐手段が分岐して得られた電気信号をそれぞれ光信号に変換する２以上の電気光変換手段と、
前記２以上の電気光変換手段が変換して得られた光信号をそれぞれ伝送するための２以上の光伝送路と、
前記２以上の光伝送路を介して伝送された光信号をそれぞれ電気信号に変換する２以上の光電気変換手段と、
前記２以上の光電気変換手段が変換して得られた電気信号を振幅加算する加算手段とを備える光伝送システム。
【請求項６】
前記２以上の電気光変換手段が変換して得られる光信号は、それぞれの平均の光パワーが等しいことを特徴とする、請求項５に記載の光伝送システム。
【請求項７】
前記分岐手段が分岐して得られる電気信号は、それぞれの平均電力が等しいことを特徴とする、請求項５に記載の光伝送システム。
【請求項８】
電気信号を光信号に変換して伝送する光伝送システムであって、
電気信号を２以上に分岐する分岐手段と、
前記分岐手段が分岐して得られた電気信号をそれぞれ光信号に変換する２以上の電気光変換手段と、
前記２以上の電気光変換手段が変換して得られた光信号をそれぞれ伝送するための２以上の光伝送路と、
前記２以上の光伝送路を介して伝送された光信号を合波する光合波手段と、
前記光合波手段が合波して得られた光信号を電気信号に変換する光電気変換手段とを備える光伝送システム。
【請求項９】
前記２以上の電気光変換手段が変換して得られる光信号は、それぞれの平均の光パワーが等しいことを特徴とする、請求項８に記載の光伝送システム。
【請求項１０】
前記分岐手段が分岐して得られる電気信号は、それぞれの平均電力が等しいことを特徴とする、請求項８に記載の光伝送システム。
【請求項１１】
電気信号を光信号に変換して伝送する光伝送システムであって、
光信号を出力する光源と、
前記光源から出力される光信号を２分岐する光分岐手段と、
電気信号を２分岐する分岐手段と、
前記分岐手段が分岐して得られた電気信号の一方を位相反転する第１の位相反転手段と、
前記光分岐手段が分岐して得られた光信号を、前記分岐手段が分岐して得られた電気信号の他方および前記第１の位相反転手段が位相反転して得られた電気信号に応じてそれぞれ強度変調する第１および第２の外部光変調手段と、
前記第１および第２の外部光変調手段が強度変調して得られた光信号をそれぞれ伝送するための第１および第２の光伝送路と、
前記第１および第２の光伝送路を介して伝送された光信号をそれぞれ電気信号に変換する第１および第２の光電気変換手段と、
前記第１および第２の光電気変換手段が変換して得られた電気信号の一方を位相反転する第２の位相反転手段と、
前記第１および第２の光電気変換手段が変換して得られた電気信号の他方ならびに前記第２の位相反転手段が位相反転して得られた電気信号を振幅加算する加算手段とを備える光伝送システム。
【請求項１２】
前記第１および第２の外部光変調手段が強度変調して得られる光信号は、それぞれの平均の光パワーが等しいことを特徴とする、請求項１１に記載の光伝送システム。
【請求項１３】
前記分岐手段が分岐して得られる電気信号は、それぞれの平均電力が等しいことを特徴とする、請求項１１に記載の光伝送システム。
【請求項１４】
電気信号を光信号に変換して伝送する光伝送システムであって、
光信号を出力する光源と、
前記光源から出力される光信号を電気信号に応じて強度変調し、強度変調成分の位相が互いに反転した２つの光信号を出力する外部光変調手段と、
前記外部光変調手段が出力する光信号をそれぞれ伝送する第１および第２の光伝送路と、
前記第１および第２の光伝送路を介して伝送された光信号を電気信号にそれぞれ変換する第１および第２の光電気変換手段と、
前記第１および第２の光電気変換手段により変換されて得られた電気信号の一方を位相反転する位相反転手段と、
前記第１および第２の光電気変換手段により変換されて得られた電気信号の他方ならびに前記位相反転手段により位相反転されて得られた電気信号を振幅加算する加算手段とを備える光伝送システム。
【請求項１５】
前記外部光変調手段が出力する光信号は、それぞれの平均の光パワーが等しいことを特徴とする、請求項１４に記載の光伝送システム。
【請求項１６】
前記外部光変調手段は、バランスブリッジ型／方向性結合型光変調器であることを特徴とする、請求項１４または１５に記載の光伝送システム。
【請求項１７】
強度変調成分の位相が互いに反転した２つの光信号をそれぞれ２つの光伝送路に出力する光伝送装置と、前記２つの光伝送路を介して伝送された前記２つの光信号を受信した後それぞれ電気信号に変換し、変換された２つの電気信号のいずれか一方を位相反転した後、前記２つの電気信号の他方と合波する光受信装置とを備える光伝送システムに用いられる光伝送装置であって、
光信号を出力する光源と、
前記光源から出力される光信号を電気信号に応じて強度変調し、強度変調成分の位相が互いに反転した２つの光信号を、前記２つの光伝送路にそれぞれ出力する外部光変調手段とを備える光伝送装置。
【請求項１８】
前記外部光変調手段が出力する光信号は、それぞれの平均の光パワーが等しいことを特徴とする、請求項１７に記載の光伝送装置。
【請求項１９】
前記外部光変調手段は、バランスブリッジ型／方向性結合型光変調器であることを特徴とする、請求項１７または１８に記載の光伝送装置。
【手続補正３】
【補正対象書類名】明細書
【補正対象項目名】００１８
【補正方法】削除
【補正の内容】
【手続補正４】
【補正対象書類名】明細書
【補正対象項目名】００１９
【補正方法】削除
【補正の内容】
【手続補正５】
【補正対象書類名】明細書
【補正対象項目名】００２０
【補正方法】削除
【補正の内容】
【手続補正６】
【補正対象書類名】明細書
【補正対象項目名】００２１
【補正方法】削除
【補正の内容】
【手続補正７】
【補正対象書類名】明細書
【補正対象項目名】００２２
【補正方法】削除
【補正の内容】
【手続補正８】
【補正対象書類名】明細書
【補正対象項目名】００２３
【補正方法】変更
【補正の内容】
【００２３】
第５の発明は、電気信号を光信号に変換して伝送する光伝送システムであって、
電気信号を２以上に分岐する分岐手段と、
分岐手段が分岐して得られた電気信号をそれぞれ光信号に変換する２以上の電気光変換手段と、
２以上の電気光変換手段が変換して得られた光信号をそれぞれ伝送するための２以上の光伝送路と、
２以上の光伝送路を介して伝送された光信号をそれぞれ電気信号に変換する２以上の光電気変換手段と、
２以上の光電気変換手段が変換して得られた電気信号を振幅加算する加算手段とを備えている。


【手続補正９】
【補正対象書類名】明細書
【補正対象項目名】００２４
【補正方法】変更
【補正の内容】
【００２４】
上記のように、第５の発明では、分岐手段は、電気信号を２以上に分岐する。２以上の電気光変換手段はそれぞれ、分岐手段が分岐して得られた電気信号を光信号に変換する。２以上の電気光変換手段が変換して得られた光信号はそれぞれ、２以上の光伝送路を介して伝送される。このとき、２以上の光伝送路において、それぞれレーリー散乱による雑音光が発生する。２以上の光電気変換手段はそれぞれ、２以上の光伝送路を介して伝送された、雑音光を含む光信号を、雑音成分を含む電気信号に変換する。加算手段は、２以上の光電気変換手段が変換して得られた電気信号を振幅加算する。


【手続補正１０】
【補正対象書類名】明細書
【補正対象項目名】００２６
【補正方法】変更
【補正の内容】
【００２６】
第６の発明は、第５の発明において、２以上の電気光変換手段が変換して得られる光信号は、それぞれの平均の光パワーが等しいことを特徴としている。


【手続補正１１】
【補正対象書類名】明細書
【補正対象項目名】００２８
【補正方法】変更
【補正の内容】
【００２８】
第７の発明は、第５の発明において、分岐手段が分岐して得られる電気信号は、それぞれの平均電力が等しいことを特徴としている。


【手続補正１２】
【補正対象書類名】明細書
【補正対象項目名】００３０
【補正方法】変更
【補正の内容】
【００３０】
第８の発明は、電気信号を光信号に変換して伝送する光伝送システムであって、
電気信号を２以上に分岐する分岐手段と、
分岐手段が分岐して得られた電気信号をそれぞれ光信号に変換する２以上の電気光変換手段と、
２以上の電気光変換手段が変換して得られた光信号をそれぞれ伝送するための２以上の光伝送路と、
２以上の光伝送路を介して伝送された光信号を合波する光合波手段と、
光合波手段が合波して得られた光信号を電気信号に変換する光電気変換手段とを備えている。


【手続補正１３】
【補正対象書類名】明細書
【補正対象項目名】００３１
【補正方法】変更
【補正の内容】
【００３１】
上記のように、第８の発明では、分岐手段は、電気信号を２以上に分岐する。２以上の電気光変換手段はそれぞれ、分岐手段が分岐して得られた電気信号を光信号に変換する。２以上の電気光変換手段が変換して得られた光信号はそれぞれ、２以上の光伝送路を介して伝送される。このとき、２以上の光伝送路において、それぞれレーリー散乱による雑音光が発生する。光合波手段は、２以上の光伝送路を介して伝送された、雑音光を含む光信号を合波する。光電気変換手段は、光合波手段が合波して得られた光信号を、雑音成分を含む電気信号に変換する。


【手続補正１４】
【補正対象書類名】明細書
【補正対象項目名】００３３
【補正方法】変更
【補正の内容】
【００３３】
第９の発明は、第８の発明において、２以上の電気光変換手段が変換して得られる光信号は、それぞれの平均の光パワーが等しいことを特徴としている。


【手続補正１５】
【補正対象書類名】明細書
【補正対象項目名】００３５
【補正方法】変更
【補正の内容】
【００３５】
第１０の発明は、第８の発明において、分岐手段が分岐して得られる電気信号は、それぞれの平均電力が等しいことを特徴としている。


【手続補正１６】
【補正対象書類名】明細書
【補正対象項目名】００３７
【補正方法】削除
【補正の内容】
【手続補正１７】
【補正対象書類名】明細書
【補正対象項目名】００３８
【補正方法】削除
【補正の内容】
【手続補正１８】
【補正対象書類名】明細書
【補正対象項目名】００３９
【補正方法】削除
【補正の内容】
【手続補正１９】
【補正対象書類名】明細書
【補正対象項目名】００４０
【補正方法】削除
【補正の内容】
【手続補正２０】
【補正対象書類名】明細書
【補正対象項目名】００４１
【補正方法】削除
【補正の内容】
【手続補正２１】
【補正対象書類名】明細書
【補正対象項目名】００４２
【補正方法】削除
【補正の内容】
【手続補正２２】
【補正対象書類名】明細書
【補正対象項目名】００４３
【補正方法】削除
【補正の内容】
【手続補正２３】
【補正対象書類名】明細書
【補正対象項目名】００４４
【補正方法】削除
【補正の内容】
【手続補正２４】
【補正対象書類名】明細書
【補正対象項目名】００４５
【補正方法】削除
【補正の内容】
【手続補正２５】
【補正対象書類名】明細書
【補正対象項目名】００４６
【補正方法】削除
【補正の内容】
【手続補正２６】
【補正対象書類名】明細書
【補正対象項目名】００４７
【補正方法】削除
【補正の内容】
【手続補正２７】
【補正対象書類名】明細書
【補正対象項目名】００４８
【補正方法】削除
【補正の内容】
【手続補正２８】
【補正対象書類名】明細書
【補正対象項目名】００４９
【補正方法】削除
【補正の内容】
【手続補正２９】
【補正対象書類名】明細書
【補正対象項目名】００５０
【補正方法】削除
【補正の内容】
【手続補正３０】
【補正対象書類名】明細書
【補正対象項目名】００５１
【補正方法】変更
【補正の内容】
【００５１】
第１１の発明は、電気信号を光信号に変換して伝送する光伝送システムであって、
光信号を出力する光源と、
光源から出力される光信号を２分岐する光分岐手段と、
電気信号を２分岐する分岐手段と、
分岐手段が分岐して得られた電気信号の一方を位相反転する第１の位相反転手段と、
光分岐手段が分岐して得られた光信号を、分岐手段が分岐して得られた電気信号の他方および第１の位相反転手段が位相反転して得られた電気信号に応じてそれぞれ強度変調する第１および第２の外部光変調手段と、
第１および第２の外部光変調手段が強度変調して得られた光信号をそれぞれ伝送するための第１および第２の光伝送路と、
第１および第２の光伝送路を介して伝送された光信号をそれぞれ電気信号に変換する第１および第２の光電気変換手段と、
第１および第２の光電気変換手段が変換して得られた電気信号の一方を位相反転する第２の位相反転手段と、
第１および第２の光電気変換手段が変換して得られた電気信号の他方ならびに第２の位相反転手段が位相反転して得られた電気信号を振幅加算する加算手段とを備えている。


【手続補正３１】
【補正対象書類名】明細書
【補正対象項目名】００５２
【補正方法】変更
【補正の内容】
【００５２】
上記のように、第１１の発明では、光源は、光信号を出力する。光分岐手段は、光源から出力される光信号を２分岐する。分岐手段は、電気信号を２分岐する。第１の位相反転手段は、分岐手段が分岐して得られた電気信号の一方を位相反転する。第１および第２の外部光変調手段はそれぞれ、光分岐手段が分岐して得られた光信号を、分岐手段が分岐して得られた電気信号の他方および第１の位相反転手段が位相反転して得られた電気信号に応じて強度変調する。第１および第２の外部光変調手段が強度変調して得られた光信号はそれぞれ、第１および第２の光伝送路を介して伝送される。このとき、第１および第２の光伝送路において、それぞれレーリー散乱による雑音光が発生する。第１および第２の光電気変換手段はそれぞれ、第１および第２の光伝送路を介して伝送された、雑音光を含む光信号を、雑音成分を含む電気信号に変換する。第２の位相反転手段は、第１および第２の光電気変換手段が変換して得られた電気信号の一方を位相反転する。加算手段は、第１および第２の光電気変換手段が変換して得られた電気信号の他方ならびに第２の位相反転手段が位相反転して得られた電気信号を振幅加算する。


【手続補正３２】
【補正対象書類名】明細書
【補正対象項目名】００５４
【補正方法】変更
【補正の内容】
【００５４】
第１２の発明は、第１１の発明において、第１および第２の外部光変調手段が強度変調して得られる光信号は、それぞれの平均の光パワーが等しいことを特徴としている。


【手続補正３３】
【補正対象書類名】明細書
【補正対象項目名】００５６
【補正方法】変更
【補正の内容】
【００５６】
第１３の発明は、第１１の発明において、分岐手段が分岐して得られる電気信号は、それぞれの平均電力が等しいことを特徴としている。


【手続補正３４】
【補正対象書類名】明細書
【補正対象項目名】００５８
【補正方法】変更
【補正の内容】
【００５８】
第１４の発明は、電気信号を光信号に変換して伝送する光伝送システムであって、
光信号を出力する光源と、
光源から出力される光信号を電気信号に応じて強度変調し、強度変調成分の位相が互いに反転した２つの光信号を出力する外部光変調手段と、
外部光変調手段が出力する光信号をそれぞれ伝送する第１および第２の光伝送路と、
第１および第２の光伝送路を介して伝送された光信号を電気信号にそれぞれ変換する第１および第２の光電気変換手段と、
第１および第２の光電気変換手段により変換されて得られた電気信号の一方を位相反転する位相反転手段と、
第１および第２の光電気変換手段により変換されて得られた電気信号の他方ならびに位相反転手段により位相反転されて得られた電気信号を振幅加算する加算手段とを備えている。


【手続補正３５】
【補正対象書類名】明細書
【補正対象項目名】００５９
【補正方法】変更
【補正の内容】
【００５９】
上記のように、第１４の発明では、光源は、光信号を出力する。外部光変調手段は、光源から出力される光信号を電気信号に応じて強度変調し、強度変調成分の位相が互いに反転した２つの光信号を出力する。外部光変調手段が出力する光信号はそれぞれ、第１および第２の光伝送路を介して伝送される。このとき、第１および第２の光伝送路において、それぞれレーリー散乱による雑音光が発生する。第１および第２の光電気変換手段はそれぞれ、第１および第２の光伝送路を介して伝送された、雑音光を含む光信号を、雑音成分を含む電気信号に変換する。位相反転手段は、第１および第２の光電気変換手段により変換されて得られた電気信号の一方を位相反転する。加算手段は、第１および第２の光電気変換手段により変換されて得られた電気信号の他方ならびに位相反転手段により位相反転されて得られた電気信号を振幅加算する。


【手続補正３６】
【補正対象書類名】明細書
【補正対象項目名】００６１
【補正方法】変更
【補正の内容】
【００６１】
第１５の発明は、第１４の発明において、外部光変調手段が出力する光信号は、それぞれの平均の光パワーが等しいことを特徴としている。


【手続補正３７】
【補正対象書類名】明細書
【補正対象項目名】００６３
【補正方法】削除
【補正の内容】
【手続補正３８】
【補正対象書類名】明細書
【補正対象項目名】００６４
【補正方法】削除
【補正の内容】
【手続補正３９】
【補正対象書類名】明細書
【補正対象項目名】００６５
【補正方法】削除
【補正の内容】
【手続補正４０】
【補正対象書類名】明細書
【補正対象項目名】００６６
【補正方法】削除
【補正の内容】
【手続補正４１】
【補正対象書類名】明細書
【補正対象項目名】００６７
【補正方法】削除
【補正の内容】
【手続補正４２】
【補正対象書類名】明細書
【補正対象項目名】００６８
【補正方法】削除
【補正の内容】
【手続補正４３】
【補正対象書類名】明細書
【補正対象項目名】００６９
【補正方法】削除
【補正の内容】
【手続補正４４】
【補正対象書類名】明細書
【補正対象項目名】００７０
【補正方法】削除
【補正の内容】
【手続補正４５】
【補正対象書類名】明細書
【補正対象項目名】００７１
【補正方法】削除
【補正の内容】
【手続補正４６】
【補正対象書類名】明細書
【補正対象項目名】００７２
【補正方法】削除
【補正の内容】
【手続補正４７】
【補正対象書類名】明細書
【補正対象項目名】００７３
【補正方法】削除
【補正の内容】
【手続補正４８】
【補正対象書類名】明細書
【補正対象項目名】００７４
【補正方法】削除
【補正の内容】
【手続補正４９】
【補正対象書類名】明細書
【補正対象項目名】００７５
【補正方法】削除
【補正の内容】
【手続補正５０】
【補正対象書類名】明細書
【補正対象項目名】００７６
【補正方法】削除
【補正の内容】
【手続補正５１】
【補正対象書類名】明細書
【補正対象項目名】００７７
【補正方法】削除
【補正の内容】
【手続補正５２】
【補正対象書類名】明細書
【補正対象項目名】００７８
【補正方法】削除
【補正の内容】
【手続補正５３】
【補正対象書類名】明細書
【補正対象項目名】００７９
【補正方法】削除
【補正の内容】
【手続補正５４】
【補正対象書類名】明細書
【補正対象項目名】００８０
【補正方法】削除
【補正の内容】
【手続補正５５】
【補正対象書類名】明細書
【補正対象項目名】００８１
【補正方法】削除
【補正の内容】
【手続補正５６】
【補正対象書類名】明細書
【補正対象項目名】００８２
【補正方法】削除
【補正の内容】
【手続補正５７】
【補正対象書類名】明細書
【補正対象項目名】００８３
【補正方法】削除
【補正の内容】
【手続補正５８】
【補正対象書類名】明細書
【補正対象項目名】００８４
【補正方法】削除
【補正の内容】
【手続補正５９】
【補正対象書類名】明細書
【補正対象項目名】００８５
【補正方法】削除
【補正の内容】
【手続補正６０】
【補正対象書類名】明細書
【補正対象項目名】００８６
【補正方法】削除
【補正の内容】
【手続補正６１】
【補正対象書類名】明細書
【補正対象項目名】００８７
【補正方法】削除
【補正の内容】
【手続補正６２】
【補正対象書類名】明細書
【補正対象項目名】００８８
【補正方法】削除
【補正の内容】
【手続補正６３】
【補正対象書類名】明細書
【補正対象項目名】００８９
【補正方法】削除
【補正の内容】
【手続補正６４】
【補正対象書類名】明細書
【補正対象項目名】００９０
【補正方法】削除
【補正の内容】
【手続補正６５】
【補正対象書類名】明細書
【補正対象項目名】００９１
【補正方法】変更
【補正の内容】
【００９１】
第１６の発明は、第１４、１５の発明において、外部光変調手段は、バランスブリッジ型／方向性結合型光変調器であることを特徴としている。


【手続補正６６】
【補正対象書類名】明細書
【補正対象項目名】００９３
【補正方法】変更
【補正の内容】
【００９３】
第１７の発明は、強度変調成分の位相が互いに反転した２つの光信号をそれぞれ２つの光伝送路に出力する光伝送装置と、２つの光伝送路を介して伝送された２つの光信号を受信した後それぞれ電気信号に変換し、変換された２つの電気信号のいずれか一方を位相反転した後、２つの電気信号の他方と合波する光受信装置とを備える光伝送システムに用いられる光伝送装置であって、
光信号を出力する光源と、
光源から出力される光信号を電気信号に応じて強度変調し、強度変調成分の位相が互いに反転した２つの光信号を、２つの光伝送路にそれぞれ出力する外部光変調手段とを備えている。
【手続補正６７】
【補正対象書類名】明細書
【補正対象項目名】００９４
【補正方法】変更
【補正の内容】
【００９４】
第１８の発明は、第１７の発明において、外部光変調手段が出力する光信号は、それぞれの平均の光パワーが等しいことを特徴としている。
【手続補正６８】
【補正対象書類名】明細書
【補正対象項目名】００９５
【補正方法】変更
【補正の内容】
【００９５】
第１９の発明は、第１７、１８の発明において、外部光変調手段は、バランスブリッジ型／方向性結合型光変調器であることを特徴としている。
【手続補正６９】
【補正対象書類名】明細書
【補正対象項目名】００９６
【補正方法】削除
【補正の内容】
【手続補正７０】
【補正対象書類名】明細書
【補正対象項目名】００９７
【補正方法】削除
【補正の内容】
【手続補正７１】
【補正対象書類名】明細書
【補正対象項目名】００９８
【補正方法】削除
【補正の内容】
【手続補正７２】
【補正対象書類名】明細書
【補正対象項目名】００９９
【補正方法】削除
【補正の内容】
【手続補正７３】
【補正対象書類名】明細書
【補正対象項目名】０１００
【補正方法】削除
【補正の内容】
【手続補正７４】
【補正対象書類名】明細書
【補正対象項目名】０１０１
【補正方法】削除
【補正の内容】
【手続補正７５】
【補正対象書類名】明細書
【補正対象項目名】０１０２
【補正方法】削除
【補正の内容】